(57)【要約】【課題】  住宅への光害を防止でき、しかも風圧に対する耐性を向上させることができる防犯灯を提供することである。【解決手段】  防犯灯本体１１は、線状光源１３を収納するとともに線状光源１３の長手方向が街路と略平行となるように街路際に立設した支柱に取り付けられる。防犯灯本体１１内に設けられた反射板１８は、線状光源１３からの光を主として街路進行方向へ反射し、防犯灯本体１１の長手方向の両端面部に設けられた端面グローブ２１から反射板１８で反射された光を、街路と略平行方向に照射する。防犯灯本体１１の街路面側に設けられた透過性グローブ１６は、線状光源１３からの光を街路面に照射する。【選択図】  図１
2006012473.tif 000002
【特許請求の範囲】
【請求項１】
線状光源を収納するとともに前記線状光源の長手方向が街路進行方向と略平行となるように街路際に立設した支柱に取り付けられる防犯灯本体と；
前記防犯灯本体内に設けられ前記線状光源からの光を主として街路進行方向へ反射する反射板と；
前記防犯灯本体の街路面側に設けられ前記線状光源からの光を街路面に照射する透過性グローブと；
前記防犯灯本体の長手方向の両端面部に設けられ前記反射板で反射された光を街路と略平行方向に照射する端面グローブと；
を備えたことを特徴とする防犯灯。
【請求項２】
前記透過性グローブに前記線状光源の長手方向に対して直角方向に形成され、前記線状光源の長手方向に配光制御する光学的手段を備えたことを特徴とする請求項１記載の防犯灯。
【請求項３】
前記透過性グローブからの照射光が前記街路面以外の漏れ光とならないように配光制御する遮光板を備えたことを特徴とする請求項１または２記載の防犯灯。
【発明の詳細な説明】
【技術分野】
【０００１】
本発明は、街路側に立設した支柱に取り付けられる防犯灯に関する。
【背景技術】
【０００２】
一般に、防犯灯は街路側に立設した支柱に取り付けられ、線状光源である蛍光ランプで街路面を照射するようにしている。通常、線状光源である蛍光ランプは街路に対して直角方向に支柱に取り付けれていることから、蛍光ランプと直行して幅広く光が照射される。従って、道路際の民家の窓や田畑へは遮光しづらい光漏れが生じ光公害が発生することがある。
【０００３】
そこで、線状光源の軸心方向に対して直角方向に回転軸心を配して、線状光源を横に配することで配光の広がり具合を変えることができるようにするとともに、可動反射板を前方に引出しその引出部分にて線状光源を遮光して配光の広がり具合を変えるようにしたものがある（例えば、特許文献１参照）。
【特許文献１】実公平７−１８０９６号公報（図１）
【発明の開示】
【発明が解決しようとする課題】
【０００４】
しかし、従来のものでは、防犯灯を支柱に取り付けた後の光公害が発生した場合に、防犯灯を横に配置し直すようにしているので、光公害が発生する度に防犯灯の配置を変更しなければならない。また、防犯灯は本来的には街路面のみを照射することが望ましいが、従来の防犯灯では街路面に光が照射されるように特別の工夫がなされていないので、単に、防犯灯を横に配置するだけでは、光公害が発生することがあり、光公害を発生させないように、防犯灯が街路面を照射するように調整することは難しい。
【０００５】
一方、防犯灯の支柱への取り付けは、防犯灯の端部が支柱に取り付けられ、防犯灯の重心バランスが崩れた箇所での取り付けとなっている。このことから、風圧を受けやすく、灯具保持構造を強固にする必要がある。
【０００６】
本発明の目的は、住宅への光害を防止でき、しかも風圧を受けにくい保持機構を簡素にできる防犯灯を提供することである。
【課題を解決するための手段】
【０００７】
請求項１の発明に係わる防犯灯は、線状光源を収納するとともに前記線状光源の長手方向が街路進行方向と略平行となるように街路際に立設した支柱に取り付けられる防犯灯本体と；前記防犯灯本体内に設けられ前記線状光源からの光を主として街路進行方向へ反射する反射板と；前記防犯灯本体の街路面側に設けられ前記線状光源からの光を街路面に照射する透過性グローブと；前記防犯灯本体の長手方向の両端面部に設けられ前記反射板で反射された光を街路と略平行方向に照射する端面グローブと；を備えたことを特徴とする。
【０００８】
本発明及び以下の発明において、特に指定しない限り用語の定義及び技術的意味は以下による。
【０００９】
防犯灯本体は、線状光源を収納できるように直方体状に形成され、直方体状の長手方向に線状光源が収納される。線状光源は、例えば蛍光ランプであり、屈曲形蛍光ランプやランプ光率の高い高周波点灯専用蛍光灯ランプを含む。線状光源を収納した防犯灯本体は、街路際に立設した支柱に線状光源の長手方向が街路と略平行となるように取り付けられる。
【００１０】
反射板は、防犯灯本体内の線状光源の両側面側に設けられる。線状光源から側面方向への出射光を入射して線状光源からの光を主として街路進行方向へ反射する。従って、防犯灯本体は、線状光源の長手方向が街路と略平行となるように取り付けられるので、反射板は線状光源の側面方向の光を主として街路進行方向へ反射することになる。
【００１１】
透過性グローブは防犯灯本体の街路面側に設けられる。透過性グローブは、アクリル樹脂やガラス等の透過性材料で形成され、防犯灯本体に収納された線状光源からの光を街路面に照射する。防犯灯本体は、線状光源の長手方向が街路と略平行となるように取り付けられるので、透過性グローブは線状光源からの光を街路方向に沿って街路面に照射することになる。
【００１２】
端面グローブは防犯灯本体の長手方向の両端面部に設けられる。端面グローブは、アクリル樹脂やガラス等の透過性材料で形成され、防犯灯本体に収納された反射板で反射された光を街路と略平行方向に照射する。これにより、端面グローブは反射板からの反射光も街路方向に沿って街路面に照射することになる。
【００１３】
本発明によれば、防犯灯本体は、街路際に立設した支柱に線状光源の長手方向が街路と略平行となるように取り付けられるので、防犯灯本体の街路面側に設けられた透過性グローブから線状光源からの光を街路方向に沿って街路面に照射することができ、しかも防犯灯の重心バランスがとれた箇所での取り付けが可能であるので、風圧に強くまた施工し易い。
【００１４】
また、防犯灯本体の反射板は線状光源の側面方向の光を街路方向成分を含むように反射するので、端面グローブから街路方向に沿って街路面に照射することができる。従って、街路面に照射する光量を多くすることができしかも街路面以外に照射される光を低減することができ、光公害を抑制できる。
【００１５】
請求項２の発明に係わる防犯灯は、請求項１の発明において、前記透過性グローブに前記線状光源の長手方向に対して直角方向に形成され、前記線状光源の長手方向に配光制御する光学的手段を備えたことを特徴とする。
【００１６】
本発明は、請求項１の発明の透過性グローブに光学的手段を追加して設けたものである。光学的手段は、線状光源の長手方向に対して直角方向に形成され、透過性グローブからの出射光を線状光源の長手方向に配光制御する。光学的手段は、例えばプリズムやルーバを含む。
【００１７】
本発明によれば、街路方向に沿って街路面に照射する光量をより多くすることができるので、防犯灯の配置間隔を広くとれる。また、街路面以外に照射される光を低減することができ、光公害を抑制できる。
【００１８】
請求項３の発明に係わる防犯灯は、請求項１または２の発明において、前記透過性グローブからの照射光が前記街路面以外の漏れ光とならないように配光制御する遮光板を備えたことを特徴とする。
【００１９】
本発明は、請求項１または２の発明において、遮光板を追加して設けたものである。遮光板は、透過性グローブからの照射光が街路面に向くように配光制御するものである。
【００２０】
本発明によれば、透過性グローブからの照射光が街路面に照射するように配光制御するので、街路面以外に照射される光を低減することができ、光公害を抑制できる。
【発明の効果】
【００２１】
請求項１の発明によれば、防犯灯本体は、街路際に立設した支柱に線状光源の長手方向が街路と略平行となるように取り付けられるので、防犯灯本体の街路面側に設けられた透過性グローブから線状光源からの光を街路方向に沿って街路面に照射することができ、しかも防犯灯の重心バランスがとれた箇所での取り付けが可能であるので、風圧に強くまた施工し易い。
【００２２】
また、防犯灯本体の反射板は線状光源の側面方向の光を街路方向成分を含むように反射するので、端面グローブから街路方向に沿って街路面に照射することができる。従って、街路面に照射する光量を多くすることができしかも街路面以外に照射される光を低減することができ、光公害を抑制できる。
【００２３】
請求項２の発明によれば、街路方向に沿って街路面に照射する光量をより多くすることができるので、防犯灯の配置間隔を広くとれる。また、街路面以外に照射される光を低減することができ、光公害を抑制できる。
【００２４】
請求項３の発明によれば、透過性グローブからの照射光が街路面に照射するように配光制御するので、街路面以外に照射される光を低減することができ、光公害を抑制できる。
【発明を実施するための最良の形態】
【００２５】
図１は本発明の実施の形態に係わる防犯灯を支柱に取り付け街路方向に沿って見た場合の構成図、図２は本発明の実施の形態に係わる防犯灯を支柱に取り付け街路の中心線側から見た構成図、図３は本発明の実施の形態に係わる防犯灯の上面から見た内部構成図である。
【００２６】
防犯灯本体１１は、街路際に立設した支柱１２に線状光源１３の長手方向が街路と略平行となるように取り付けられる。防犯灯本体１１には取付具１４が取り付けられており、取付具１４の取付バンド１５により支柱１２の周囲に締め付けて取り付けられる。この場合、線状光源１３を収納した防犯灯本体１１の重心バランスがとれた箇所で取り付ける。
【００２７】
防犯灯本体１１は、線状光源１３を収納できるように直方体状に形成され、直方体状の長手方向に線状光源１３が収納される。線状光源１３は、例えば蛍光ランプであり、屈曲形蛍光ランプやランプ光率の高い高周波点灯専用蛍光灯ランプＦＨＰを用いることができる。
【００２８】
防犯灯本体１１の街路面側には透過性グローブ１６が設けられ、透過性グローブ１６は、防犯灯本体に収納された線状光源からの光を街路面に照射する。防犯灯本体１１は支柱１２に、線状光源１３の長手方向が街路と略平行となるように取り付けられるので、透過性グローブ１６は線状光源１３からの光を街路方向に沿って街路面に照射することになる。
【００２９】
また、防犯灯本体１１の長手方向の側面には遮光板１７が設けられ、遮光板１７により、透過性グローブ１６からの照射光が街路面に向くように配光制御する。これにより、街路面以外に照射される光を低減することができ、光公害を抑制できる。なお、遮光板１７を設けなくても光公害が発生しない場合には、必ずしも遮光板１７を設ける必要はない。
【００３０】
防犯灯本体１１内には反射板１８が設けられ、図３に示すように、反射板１８の背面には線状光源１３の点灯装置１９が配置されている。また、防犯灯本体１１の天井部には照度計２０が設けられ、照度計２０で測定された照度に基づき点灯装置１９により線状光源２０を点灯制御することになる。
【００３１】
反射板１８は、防犯灯本体１１内の線状光源１３の両側面側に設けられる。反射板１８は、線状光源１３から側面方向への出射光を入射して線状光源１３の長手方向成分を含む方向に反射する。その反射光は、線状光源１３の長手方向成分を含むので、防犯灯本体１１の長手方向の両端面部に設けられた端面グローブ２１から、街路と略平行方向に照射する。
【００３２】
図４は、本発明の実施の形態の形態に係わる防犯灯の街路面側から見た底面図である。防犯灯本体１１の街路面側には透過性グローブ１６が蝶番２２で防犯灯本体１１に取り付けられている。透過性グローブ１６は取っ手２３により蝶番２２にて開閉操作され、内部の線状光源１３の装着や取り外しが行われる。また、透過性グローブ１６には、線状光源１３の長手方向に対して直角方向に光学的手段２４が形成されている。この光学的手段２４は、線状光源１３の長手方向に配光制御するものであり、これにより、街路方向に沿って街路面に照射する光量をより多くすることができる。光学的手段２４は、例えばプリズムやルーバなどである。
【００３３】
本発明の実施の形態によれば、防犯灯本体１１は街路際に立設した支柱１２に線状光源１３の長手方向が街路と略平行となるように取り付けられるので、防犯灯本体１１の街路面側に設けられた透過性グローブ１６から、線状光源１３からの光を街路方向に沿って街路面に照射することができる。また、長手方向が街路と略平行となるように取り付けるので、防犯灯本体１１の重心バランスがとれた箇所での取り付けが可能となり、風圧に強くまた施工し易い。
【００３４】
また、防犯灯本体１１の反射板１８は線状光源１３の側面方向の光を街路方向成分を含むように反射するので、端面グローブ２１から街路方向に沿って街路面に照射することができる。さらに、透過性グローブ１６の光学的手段２４により街路方向に沿って街路面に照射する光量をより多くすることができるので、防犯灯の配置間隔を広くとれる。また、街路面以外に照射される光を低減することができ、光公害を抑制できる。
【図面の簡単な説明】
【００３５】
【図１】本発明の実施の形態に係わる防犯灯を支柱に取り付け街路方向に沿って見た場合の構成図。
【図２】本発明の実施の形態に係わる防犯灯を支柱に取り付け街路の中心線側から見た構成図。
【図３】本発明の実施の形態に係わる防犯灯の上面から見た内部構成図。
【図４】本発明の実施の形態の形態に係わる防犯灯の街路面側から見た底面図。
【符号の説明】
【００３６】
１１…防犯灯本体、１２…支柱、１３…線状光源、１４…取付具、１５…取付バンド、１６…透過性グローブ、１７…遮光板、１８…反射板、１９…点灯装置、２０…照度計、２１…端面グローブ、２２…蝶番、２３…取っ手、２４…光学的手段
【図１】
2006012473.tif 000003
【図２】
2006012473.tif 000004
【図３】
2006012473.tif 000005
【図４】
2006012473.tif 000006